(57)【要約】【課題】  電力消費をユーザの使用状況に合わせて適切に制御し、表示部での無駄な電流消費を防止するようにした携帯端末機を得る。【解決手段】  この発明は、視覚情報を表示するＬＣＤ３と、このＬＣＤを照明するＬＣＤバックライト４を有する表示部を備えた携帯端末機において、前記携帯端末機の表示部の向きを検出する方向検出手段２と、前記方向検出手段２の検出信号に基づいて前記表示部の表示動作を制御する制御手段１を備えている。【選択図】図１
2006163294.tif 000002
【特許請求の範囲】
【請求項１】
視覚情報を表示する表示部と、重力方向を検出する方向検出部と、前記方向検出部の検出結果に基づいて前記表示部の駆動動作を制御する制御部とを備えたことを特徴とする携帯端末機。
【請求項２】
前記表示部は、外部に視覚情報を報知する表示手段およびこの表示手段を照光する照光手段を有し、前記制御部は、前記方向検出部の検出結果に基づいて少なくとも前記表示部の照光手段の駆動動作を制御することを特徴とする請求項１に記載の携帯端末機。
【請求項３】
携帯端末機は、本体部と、表示部を設けた蓋部とが折り畳み可能な二つ折り型の構造を有し、さらに、前記本体部と前記蓋部との二つ折りの開閉状態を検出する開閉検出部を備え、前記方向検出部は、前記本体部または前記蓋部に設けられ、前記制御部は、前記開閉検出部の検出した開閉状態および前記方向検出部の検出結果に基づいて前記表示部の駆動動作を制御することを特徴とする請求項１に記載の携帯端末機。
【請求項４】
携帯端末機は、本体部と、表示部を設けた蓋部とが折り畳み可能で、かつ前記本体部に対して前記蓋部が回転可能な二つ折り型の構造を有し、さらに、前記本体部と前記蓋部の表示面側との二つ折りの開閉状態を検出する開閉検出部を備え、前記方向検出部は、前記蓋部に設けられ、前記制御部は、前記開閉検出部の検出した開閉状態および前記方向検出部の検出結果に基づいて前記表示部の駆動動作を制御することを特徴とする請求項１に記載の携帯端末機。
【請求項５】
携帯端末機は、本体部と、表示部を設けた蓋部とが折り畳み可能で、かつ前記本体部に対して前記蓋部が回転可能な二つ折り型の構造を有し、さらに、前記本体部と前記蓋部の表示面側および表示面の反対面側との二つ折りの開閉状態を検出する開閉検出部と、前記本体部に対する前記蓋部の回転状態を検出する表示部反転検出部備え、前記方向検出部は、前記本体部に設けられ、前記制御部は、前記開閉検出部の検出した開閉状態、前記表示部反転検出部の検出した回転状態および前記方向検出部の検出結果に基づいて前記表示部の駆動動作を制御することを特徴とする請求項１に記載の携帯端末機。
【請求項６】
前記方向検出部は、座標軸Ｘ、Ｙ、Ｚの３つの軸方向もしくはＸ、Ｙの２つの軸方向に対して加わる加速度の大きさに比例した電圧値を出力する加速度センサを備え、前記表示部もしくは本体部の向きに対し垂直方向の軸方向出力から携帯端末機の向きを検出するよう構成したことを特徴とする請求項１〜請求項５のいずれか１項に記載の携帯端末機
【請求項７】
前記制御部は、前記表示部に新たな視覚情報を表示させるとき、前記方向検出部の検出結果に基づいて前記表示部の駆動動作を制御することを特徴とする請求項１に記載の携帯端末機。
【請求項８】
前記制御部は、前記方向検出部が、重力方向を含み少なくとも水平方向より重力方向側への傾き又は反重力方向を含み少なくとも水平方向より反重力方向側への傾きを検出したとき、前記方向検出部の検出結果に基づいて前記表示部の駆動動作を制御することを特徴とする請求項１に記載の携帯端末機。
【請求項９】
前記制御部は、前記表示部の表示する表示面側の垂線が重力方向を含み少なくとも水平方向から重力方向側に傾いているとき、前記表示部の駆動動作を停止することを特徴とする請求項１に記載の携帯端末機。
【請求項１０】
前記制御部は、前記表示部の表示する表示面側の垂線が反重力方向を含み少なくとも水平方向から反重力方向側に傾いているとき、前記表示部の駆動動作を開始することを特徴とする請求項１に記載の携帯端末機。
【発明の詳細な説明】
【技術分野】
【０００１】
この発明は、視覚情報を表示する表示部を備えた、例えば携帯電話機のような携帯端末機において、電力消費をユーザの使用状況に合わせて適切に制御するようにした携帯端末機に関するものである。
【背景技術】
【０００２】
携帯電話機では長時間の使用が可能となるように動作時の消費電流を少なくする必要があり、特に大型のＬＣＤを採用する機種においては、いかにＬＣＤとＬＣＤバックライトの消費電流を少なくするように制御するかが大きな課題となっている。
この課題を解決するための従来技術として、たとえば、特開２００２−３２００２２号公報（特許文献１と称す。）では、ＬＣＤの断続表示を行うことにより低消費電流化を実現する技術が記載されている。
また特開２０００−３５２７０２号公報（特許文献２と称す。）では、通信端末機の周辺の明度を検知する検知部を設け、その検知部で検出した結果によりバックライトの照明開始を制御する技術が記載されている。
また、最後のキー操作等から一定時間後にＬＣＤの表示またはバックライトを消灯して、低消費電流化を実現しているものもある。
しかし、例えば携帯電話機のＬＣＤ側の面を下にして携帯電話機を置いたときには、ユーザがＬＣＤを見ることができないのにも関わらず、ＬＣＤの表示及びＬＣＤバックライトの点灯を行うこととなり、不要な電流を消費してしまうという問題点がある。
また逆に、特許文献１の場合、携帯電話機のＬＣＤ側の面を上にしたときであっても、一定時間後に表示が消えている場合にはＬＣＤは表示されておらず、ユーザにとっては使い勝手が悪いものになっている。
【０００３】
【特許文献１】特開２００２−３２００２２号公報
【特許文献２】特開２０００−３５２７０２号公報
【発明の開示】
【発明が解決しようとする課題】
【０００４】
この発明は上記のような従来装置の問題点を解消するためになされたもので、電力消費をユーザの使用状況に合わせて適切に制御するようにした携帯端末機を得ることを目的とする。
【課題を解決するための手段】
【０００５】
（１）  この発明に係わる携帯端末機は、視覚情報を表示する表示部と、重力方向を検出する方向検出部と、前記方向検出部の検出結果に基づいて前記表示部の駆動動作を制御する制御部を備えたものである。
【０００６】
（２）  また、この発明に係わる携帯端末機は、前記（１）の携帯端末機において、携帯端末機は、本体部と、表示部を設けた蓋部とが折り畳み可能な二つ折り型の構造を有し、さらに、前記本体部と前記蓋部との二つ折りの開閉状態を検出する開閉検出部を備え、前記方向検出部は、前記本体部または前記蓋部に設けられ、前記制御部は、前記開閉検出部の検出した開閉状態および前記方向検出部の検出結果に基づいて前記表示部の駆動動作を制御するようにしたものである。
【０００７】
（３）  また、前記（１）の携帯端末機において、携帯端末機は、本体部と、表示部を設けた蓋部とが折り畳み可能で、かつ前記本体部に対して前記蓋部が回転可能な二つ折り型の構造を有し、さらに、前記本体部と前記蓋部の表示面側との二つ折りの開閉状態を検出する開閉検出部を備え、前記方向検出部は、前記蓋部に設けられ、前記制御部は、前記開閉検出部の検出した開閉状態および前記方向検出部の検出結果に基づいて前記表示部の駆動動作を制御するようにしたものである。
【０００８】
（４）  さらにまた、前記（１）の携帯端末機において、携帯端末機は、本体部と、表示部を設けた蓋部とが折り畳み可能で、かつ前記本体部に対して前記蓋部が回転可能な二つ折り型の構造を有し、さらに、前記本体部と前記蓋部の表示面側および表示面の反対面側との二つ折りの開閉状態を検出する開閉検出部と、前記本体部に対する前記蓋部の回転状態を検出する表示部反転検出部備え、前記方向検出部は、前記本体部に設けられ、前記制御部は、前記開閉検出部の検出した開閉状態、前記表示部反転検出部の検出した回転状態および前記方向検出部の検出結果に基づいて前記表示部の駆動動作を制御するようにしたものである。
【発明の効果】
【０００９】
この発明によれば、携帯端末機に搭載した方向検出手段により携帯端末機の表示部の向きを検出し、その向きに応じて表示部の駆動を制御するようにしたので、電力消費をユーザの使用状況に合わせて適切に制御することができる。
【発明を実施するための最良の形態】
【００１０】
実施の形態１．
以下、この発明の実施の形態１を図１〜図６を用いて説明する。
図１はこの発明の実施の形態１の携帯端末機の構成を示す概略ブロック図で、ストレート型の携帯電話機にこの発明を適用した場合の構成を示すブロック図、図２は表示部であるＬＣＤ側の携帯電話機を示した図、図３はＬＣＤの背面側の携帯電話機を示した図、図４は携帯電話機に内蔵する加速度センサが実装される基板を示す図、図５は加速度センサの出力信号を示した図、図６は実施の形態１の動作を示すフローチャートである。なお、図中、同一符号は、同一または相当部分を示すものとする。
【００１１】
図１〜図４において、１は制御部、２は、携帯端末機の向きを検出するための、重力方向を検出する方向検出手段である加速度センサであり、詳細は後述する。３は外部に視覚情報を報知するメインＬＣＤ、４はメインＬＣＤ３を照光するメインＬＣＤバックライト、５は携帯電話機、９はキー（操作部ともいう。）である。
【００１２】
次に動作について説明する。
ストレート型の携帯電話機５は、図１に示すように制御部１、加速度センサ２、メインＬＣＤ３、メインＬＣＤバックライト４、キー９を一つの筐体内に組み込んでいる。
加速度センサ２は、図４に示すように、Ｘ軸、Ｙ軸、Ｚ軸の３つの軸に対してかかる加速度の大きさに比例した電圧値を出力するＩＣである。
図５は、図４に示す構成の電気回路基板を、Ｙ軸中心に回転させた場合の加速度センサ２の各出力信号を示したもので、メインＬＣＤ３が反重力方向を含み少なくとも水平方向より反重力方向側へ傾いた場合には、Ｚ軸の出力信号がプラスの電圧値となり、メインＬＣＤ３が重力方向を含み少なくとも水平方向より重力方向側へ傾いた場合には、Ｚ軸の出力信号がマイナスの電圧値となる。
【００１３】
制御部１は、加速度センサ２のＺ軸の出力信号がプラスの電圧値かマイナスの電圧値か判定することにより、プラスの場合はメインLＣＤ３が上方向を向いていると判定し、マイナスの場合はメインＬＣＤ３が下方向を向いていると判定することができる。
そして、図２に示す携帯電話機のメインＬＣＤ３が上方向にあると判断した場合には、メインＬＣＤ３、メインＬＣＤバックライト４の駆動動作を行う。即ち、メインＬＣＤ３の表示をＯＮにし、メインＬＣＤバックライト４を点灯する。
また、図３に示す携帯電話機のメインＬＣＤ３の背面が上方向にあると判断した場合には、メインＬＣＤ３、メインＬＣＤバックライト４の駆動動作を停止する。即ち、メインＬＣＤ３をＯＦＦ、メインＬＣＤバックライト４を消灯するように構成する。
【００１４】
次に図６に示す実施の形態１の動作のフローチャートについて説明する。
ＬＣＤの表示またはバックライトは最後のキー操作等から一定時間後に消灯するものとする。
メインＬＣＤ３に新たな視覚情報を表示するイベントが発生した場合には（ステップＳ６）、加速度センサ２の検出信号から携帯電話機５の向きを判定する（ステップＳ７）。
ステップＳ８でメインＬＣＤ３が下方向でないと判断した場合には、メインＬＣＤバックライト４を点灯し（ステップＳ９）、メインＬＣＤ３の電源をＯＮにして表示を行う（ステップＳ１０）。
ステップ８でメインＬＣＤ３が下方向であると判断した場合には、メインＬＣＤバックライト４を消灯し（ステップＳ１１）、メインＬＣＤ３の電源をＯＦＦして表示も行わない（ステップＳ１２）。
【００１５】
以上のように、この発明の実施の形態１の携帯端末機によれば、ＬＣＤと、このＬＣＤを照明するＬＣＤバックライトを有する表示部を備えた携帯端末機において、前記携帯端末機の表示部の向きを検出する方向検出手段と、前記方向検出手段の検出信号に基づいて前記表示部の表示動作を制御する制御手段を備え、イベント発生時にＬＣＤが重力方向（下方向）に向いていれば、メインＬＣＤ３及びバックライト４をＯＦＦし、反重力方向（上方向）を向いていれば、ＬＣＤ及びバックライトをＯＮして表示するようにしたので、ユーザが見られない状態での無駄な消費電流を防ぐことができる。
【００１６】
実施の形態２．
実施の形態１では、加速度センサとしてＸ軸、Ｙ軸、Ｚ軸の３つの軸を検出するもので構成したが、この実施の形態２は、Ｘ軸、Ｙ軸の２つの軸を検出する加速度センサで構成する場合の一例を示すものである。以下、この発明の実施の形態２を図７、図８を用いて説明する。
図７は２軸の加速度センサを搭載した携帯電話機の電気回路基板を示した図、図８は２軸の加速度センサの出力信号を示した図である。
【００１７】
図７において１は制御部、２は加速度センサ、３はメインＬＣＤ、１３はメインＬＣＤ３を実装した基板、１４は加速度センサ２を実装した基板、１５は基板１３と基板１４を接続するコネクタである。
図７のように構成した基板において、Ｙ軸を中心に回転したときの加速度センサ２の出力は図８のようになり、メインＬＣＤ３が反重力方向を含み少なくとも水平方向より反重力方向側へ傾いた、つまり上を向いている場合には、加速度センサ２のＸ軸の出力信号はプラスの電圧値となり、メインＬＣＤ３が重力方向を含み少なくとも水平方向より重力方向側へ傾いた、つまり下を向いている場合には、加速度センサ２のＸ軸の出力信号はマイナスの電圧値となる。
前述の実施の形態１では、加速度センサ２のＺ軸の出力信号によりメインＬＣＤ３の向きを判定するように構成したが、２軸の加速度センサを採用した場合には、図７に示すように加速度センサ２とメインＬＣＤ３を垂直に実装することにより、メインＬＣＤの向きと垂直になる軸（Ｘ軸）の加速度センサ２の出力からメインＬＣＤ３の向きの判定を行うことができる。
【００１８】
したがって、この実施の形態２においても、実施の形態１と同様の効果を得ることができる。
【００１９】
実施の形態３
実施の形態１ではストレート型の携帯電話機について説明したが、図９に示すスライド型の携帯電話機、図１０に示すリボルバー型の携帯電話機についても同じ様に構成をすることにより、同様の効果を得ることができる。
【００２０】
実施の形態４
この発明の実施の形態４を図１１〜図１４を用いて説明する。
図１１はこの発明の実施の形態４の構成を示す概略ブロック図で、二つ折り型の携帯電話機にこの発明を適用した場合の構成を示すブロック図、図１２は二つ折り開の状態の携帯電話機を示した図、図１３は二つ折り閉の状態の携帯電話機を示した図、図１４は携帯電話機の動作を示すフローチャートである。なお、図中、同一符号は同一または相当部分を示す。
図１１〜図１３において、１は制御部、２は、前述した実施の形態１あるいは実施の形態２におけるものと同様の加速度センサ、３はメインＬＣＤ、４はメインＬＣＤバックライト、６はサブＬＣＤ、７はサブＬＣＤバックライト、８は開閉検出器でその機能については後述する。９はキー（操作部ともいう）、１１は、制御部１、加速度センサ２、開閉検出器８、キー９を搭載する携帯電話機の本体部側の筐体、１２は、メインＬＣＤ３、メインＬＣＤバックライト４、サブＬＣＤ６、サブＬＣＤバックライト７を搭載する携帯電話機の蓋部側の筐体である。
【００２１】
次に動作について説明する。
筐体１２には、図１２に示すように使用者がキー９を操作しながら見るためのメインＬＣＤ３と、図１３に示すように二つ折り閉時に携帯電話機５の情報を見ることができるようにサブＬＣＤ６が設けられている。メインＬＣＤ３、メインＬＣＤバックライト４、サブＬＣＤ６及びサブＬＣＤバックライト７は制御部１と接続され、制御部１がＬＣＤとＬＣＤバックライトの制御を行う。また開閉検出器８は、二つ折りの開にあるか閉にあるかの開閉状態を検出するために設けられている。制御部１は加速度センサ２の出力信号から携帯電話機５が置かれた方向を検出する。
【００２２】
メールの受信などによりＬＣＤへの表示イベントが発生した場合には、制御部１は次の動作を行う。まず開閉検出器８で二つ折りの状態を検出し、二つ折りが開の場合には、加速度センサ２の検出信号から携帯電話機５のメインＬＣＤがどちらを向いているかを判断する。なお、メインＬＣＤ３の向きの検出方法は実施の形態１または実施の形態２に示した方法で行う。そして、メインＬＣＤ３が上に向いていると判断した場合には、メインＬＣＤ３をＯＮし、メインＬＣＤバックライト４を点灯し、サブＬＣＤ６を消灯し、サブＬＣＤバックライト７を消灯する。
メインＬＣＤ３が上を向いていないと判断した場合には、サブＬＣＤ６をＯＮし、サブＬＣＤバックライト７を点灯し、メインＬＣＤ３をＯＦＦし、メインＬＣＤバックライト４を消灯する。
【００２３】
また二つ折り閉の状態でサブＬＣＤ６が上を向いていると判断した場合には、サブＬＣＤ６をＯＮし、サブＬＣＤバックライト７を点灯し、メインＬＣＤ３をＯＦＦし、メインＬＣＤバックライト４を消灯する。
サブＬＣＤ６が下を向いていると判断した場合には、メインＬＣＤ３、サブＬＣＤ６をＯＦＦし、メインＬＣＤバックライト４及びサブＬＣＤバックライト７を消灯する。
なお、二つ折り閉の場合のサブＬＣＤ６の向きを検出する方法は、３軸の加速度センサを搭載した場合にはＺ軸の出力がプラスの電圧値である場合にはサブＬＣＤ６が上向きと判断し、Ｚ軸の出力がマイナスの電圧値である場合にはサブＬＣＤ６が下向きと判断するように構成する。また２軸の加速度センサを搭載した場合にはＸ軸の出力がプラスの電圧値である場合にサブＬＣＤ６が上向きと判断し、Ｘ軸の出力がマイナスの電圧値である場合にサブＬＣＤ６が下向きと判断するように構成する。
【００２４】
次に図１４の実施の形態４の動作を示すフローチャートについて説明する。
まずＬＣＤの表示を行うイベントが発生した場合（ステップＳ１３）、開閉検出器８により二つ折りの開閉状態を検出し（ステップＳ１４）、二つ折り開状態の時には（ステップＳ１５）加速度センサの検出信号より携帯電話機５のメインＬＣＤ３の向きを判定する（ステップＳ１６）。
メインＬＣＤ３が上向きであると判定した場合には（ステップＳ１７）、メインＬＣＤ３の電源をＯＮにして表示を行い、メインＬＣＤバックライト４を点灯し（ステップＳ１８）、サブＬＣＤ６をＯＦＦし、サブＬＣＤバックライト７を消灯する（ステップ１９）。
またステップＳ１７でメインＬＣＤ３が上向きでないと判断した場合には、メインＬＣＤ３をＯＦＦし、メインＬＣＤバックライト４を消灯し（ステップ２０）、サブＬＣＤ６の電源をＯＮにして表示を行い、サブＬＣＤバックライト７を点灯する（ステップ２１）。
【００２５】
次にステップＳ１５で二つ折り閉状態である場合には、加速度センサ２の検出信号より携帯電話機５のサブＬＣＤ６の向きを判定し（ステップＳ２２）、サブＬＣＤ６が下向きと判断した場合には（ステップＳ２３）、メインＬＣＤ３をＯＦＦし、メインＬＣＤバックライト４を消灯し（ステップＳ２４）、サブＬＣＤ６をＯＦＦし、サブＬＣＤバックライト７を消灯する（ステップＳ２５）。
また、ステップＳ２３でサブＬＣＤ６が下向きでないと判断した場合には、メインＬＣＤ３をＯＦＦし、メインＬＣＤバックライト４を消灯し（ステップＳ２６）、サブＬＣＤ６の電源をＯＮにして表示を行い、サブＬＣＤバックライト７は点灯する（ステップＳ２７）。
【００２６】
以上のように、この発明の実施の形態４は、本体部と蓋部とを有するとともに、本体部に対して蓋部の折り畳みが可能な二つ折り型の構造を有し、前記蓋部の一方の面がメインＬＣＤの表示面、他方の面がサブＬＣＤの表示面とされた表示部を備えた携帯電話機にこの発明を適用したものである。そして、携帯電話機の二つ折りの開閉状態を検出する開閉検出器と、携帯電話機の表示部の向きを検出する方向検出手段と、前記開閉検出器および前記方向検出手段の検出信号に基づいて前記表示部の駆動動作を制御する制御手段を備えたもので、イベント発生時に、携帯電話機の二つ折りが開状態で、重力方向（下方向）に向いているメインＬＣＤ３及びメインＬＣＤバックライト４をＯＦＦし、重力と逆方向（上方向）を向いているサブＬＣＤ６及びバックライト７をＯＮして表示するようにし、二つ折りが閉状態で、メインＬＣＤ３、メインＬＣＤバックライト４をＯＦＦし、サブＬＣＤ６が重力方向に向いていればサブＬＣＤ６及びサブＬＣＤバックライト７をＯＦＦし、サブＬＣＤ６が重力と逆方向を向いていれば、サブＬＣＤ６及びサブＬＣＤバックライト７をＯＮして表示するようにしたので、ユーザが見られない状態での無駄な電力消費を防ぐことができる。
【００２７】
実施の形態５
この発明の実施の形態５を図１５および図２１を用いて説明する。
前述の実施の形態４では、加速度センサ２を、キー（操作部）９と同じ本体部側の筐体１１に搭載したものについて示したが、この実施の形態５は、図１５に示すように、加速度センサ２をサブＬＣＤ６と同じ蓋部側の筐体１２に実装し、加速度センサ２のＺ軸の出力を以下のように判定するよう構成したものである。なお、図中、図１１との同一符号は、同一または相当部分を示し、説明は省略する。
【００２８】
図２１はサブＬＣＤ６と３軸の加速度センサ２が同じ電気回路基板に実装されている構成を示す図である。
図２１において、加速度センサ２のＺ軸の出力は、サブＬＣＤ６が上向きの場合にはプラスの電圧値となり、サブＬＣＤ６が下向きの場合にはマイナスの電圧値となる。
ここで、二つ折り開の状態では、メインＬＣＤ３とサブＬＣＤ６の位置が逆になるので、二つ折り開状態でメインＬＣＤ３が上向きの場合には、加速度センサ２のＺ軸の出力がマイナスの電圧値となり、二つ折り開状態でメインＬＣＤ３が下向きの場合には、加速度センサ２のＺ軸の出力がプラスの電圧値となる。
従って、二つ折り閉状態時のサブＬＣＤ６の方向の検出は、加速度センサ２のＺ軸の出力がプラスの電圧値の場合には上向きと判定し、マイナスの電圧値の場合には下向きと判定する。また、二つ折り開状態時のメインＬＣＤ３の方向の検出は、加速度センサ２のＺ軸の出力がプラスの電圧値の場合には下向きと判定し、マイナスの電圧値の場合には上向きと判定する。
【００２９】
なお、２軸の加速度センサを使用した場合には、加速度センサ２をサブＬＣＤ６と垂直になるように実装し、前記３軸の加速度センサのＺ軸の代わりにＸ軸の出力信号の電圧値で判定することにより、同じ効果が得られる。
【００３０】
以上のように、実施の形態５によっても、実施の形態４と同様の効果を得ることができる。
【００３１】
実施の形態６
この発明の実施の形態６を図１６〜図２０を用いて説明する。
図１６はこの発明の実施の形態６の構成を示す概略ブロック図で、二つ折り型でヒンジに二軸回転機能を採用した携帯電話機にこの発明を適用した場合の構成を示すブロック図、図１７は二つ折り開の状態の携帯電話機を示した図、図１８はメインＬＣＤを９０度回転させた時の携帯電話機を示した図、図１９はメインＬＣＤを１８０度回転し二つ折り閉の状態にした携帯電話機を示した図、図２０は携帯電話機の動作を示すフローチャートである。なお、図中、同一符号は同一または相当部分を示す。
図１６〜図１９において、１は制御部、２は加速度センサ、３はメインＬＣＤ、４はメインＬＣＤバックライト、８は開閉検出器、９はキー（操作部ともいう）である。
１１は、前記制御部１、開閉検出器８、キー９を搭載した携帯電話機５の本体部側の筐体、１２は、加速度センサ２、メインＬＣＤ３、メインＬＣＤバックライト４を搭載した携帯電話機５の蓋部側の筐体である。なお、１０はヒンジの回転軸である（図１７〜図１９）。
【００３２】
二軸回転機能は図１７に示すように、実施の形態４で説明した二つ折り携帯電話と同様にキー９とメインＬＣＤ３が重なるように折りたたむことが可能で、更に、ヒンジの回転軸１０を中心に、図１８に示すようにメインＬＣＤ３を搭載した筐体１２が９０度回転し、更に図１９に示すようにメインＬＣＤ３を１８０度回転して二つ折りすることが可能なように構成されている。
【００３３】
また開閉検出器８は、メインＬＣＤ３とキー９が合わさった状態で二つ折りにした状態か否かを検出するためのもので、メインＬＣＤ３を表向きにして二つ折りにした場合は二つ折り開の状態と同じになるように構成する。
【００３４】
次に、実施の形態６の動作を示したフローチャート図２０について説明する。
まずＬＣＤの表示を行うイベントが発生した場合（ステップＳ２８）、開閉検出器８によりメインＬＣＤとキーが合わさった状態の二つ折り開閉状態を検出し（ステップＳ２９）、二つ折り開状態の時には（ステップＳ３０）加速度センサ２の検出信号より携帯電話機５のメインＬＣＤ３の向きを判定する（ステップＳ３２）。
メインＬＣＤ３が下向きであると判定した場合には（ステップＳ３３）、メインＬＣＤ３の電源をＯＦＦにし、メインＬＣＤバックライト４を消灯し（ステップＳ３４）、ステップＳ３３でメインＬＣＤ３が下向きでないと判断した場合には、メインＬＣＤ３の電源をＯＮにして表示を行い、メインＬＣＤバックライト４を点灯する（ステップＳ３５）。
【００３５】
また、開閉検出器８で、メインＬＣＤ３とキー９が合わさった状態で二つ折りの状態を
検出した場合には、メインＬＣＤ３の向きに関係なく、メインＬＣＤ３の電源をＯＦＦにし、メインＬＣＤバックライト４を消灯する（ステップ３１）。
メインＬＣＤ３が表向きで二つ折りの状態の場合は、上記二つ折り開状態の時と同じく、メインＬＣＤ３の向きに応じて、メインＬＣＤ３、メインＬＣＤバックライト４の動作を制御する。
なお、加速度センサ２によるメインＬＣＤ３の向きの検出方法は、前記実施の形態１および実施の形態２に示した方法で行う。
【００３６】
以上のように、この発明の実施の形態６は、本体部と蓋部とを有するとともに、本体部に対して蓋部の折り畳みが可能で、かつ、蓋部が表裏反転して折り畳みが可能な二つ折り型の構造を有し、前記蓋部の一方の面にメインＬＣＤと、このメインＬＣＤを照明するＬＣＤバックライトを有する表示部を備えた携帯電話機にこの発明を適用したものである。そして、携帯端末機の二つ折の開閉状態を検出する（即ち、メインＬＣＤとキーが合わさった状態で二つ折りか、それ以外かを検出する）
開閉検出器と、蓋部に搭載され携帯端末機の表示部の向きを検出する方向検出手段と、前記開閉検出器および前記方向検出手段の検出信号に基づいて前記表示部の駆動動作を制御する制御手段を備えることによって、この実施の形態６によっても、前述の実施の形態１〜５と同様に、ユーザが見られない状態での無駄な電力消費を防ぐことができる。
【００３７】
実施の形態７
この発明の実施の形態７を、図１７、および図２２〜図２５を用いて説明する。
図２２はこの発明の実施の形態７の構成を示す概略ブロック図で、二つ折り型でヒンジに二軸回転機能を採用した携帯電話機にこの発明を適用した場合の構成を示すブロック図、図１７は二つ折り開の状態の携帯電話機を示した図、図２３は携帯電話機のＬＣＤを１８０度回転させた状態を示した図、図２４は携帯電話機に内蔵する加速度センサが実装される基板を示す図、図２５は携帯電話機の動作を示すフローチャートである。なお、図中、同一符号は同一または相当部分を示す。
【００３８】
図１７、および図２２〜図２４において、１は制御部、２は加速度センサ、３はメインＬＣＤ、４はメインＬＣＤバックライト、８は開閉検出器、９はキー（操作部ともいう）、１０は携帯電話機５のヒンジの回転軸である。開閉検出器８は、メインＬＣＤ３とキー９を合わせた状態で閉じたことと、メインＬＣＤ３を反転させて閉じたことを検出できるものとする。例えば、キー９の「＊」「＃」付近の２箇所に磁気スイッチを配置し、「＊」付近の磁気スイッチが反応したときにはメインＬＣＤ３とキー９が合わさって閉じており、「＃」付近の磁気スイッチが反応したときにはメインＬＣＤ３が反転して閉じていることを検出できるように、筐体１２に磁石を配置することで実現している。また、キー側筐体１１に２箇所のメカスイッチを設け、１つがＯＮのときメインＬＣＤ３とキー９が合わさって閉じており、２つともＯＮのとき、メインＬＣＤ３が反転して閉じていることが検出できるように筐体１２に形状を作りこんでもよい。
１１は、前記制御部１、加速度センサ２、開閉検出器８、キー９を搭載した携帯電話機５の本体部側の筐体、１２は、前記メインＬＣＤ３、メインＬＣＤバックライト４を搭載した携帯電話機５の蓋部側の筐体、１６は、ＬＣＤ（すなわち蓋部側の筐体１２）の反転検出器（表示部反転検出器ともいう。）であり、その機能については後述する。
【００３９】
次に動作について説明する。
図２２において、ＬＣＤ反転検出器１６は、図２３のようにメインＬＣＤ３が１８０度回転した状態か否かを検出する装置である。
また、加速度センサ２はキー９を搭載した筐体１１側に設けられ、キー９の向きの検出を行う。
図２４は加速度センサ２を実装した基板を示した図である。実施の形態１で詳述したように、この基板をＹ軸を中心に回転させた時の加速度センサ２のＺ軸の出力信号の電圧値がプラスの場合には、キー９が上向き、加速度センサ２のＺ軸の出力信号の電圧値がマイナスの場合にはキー９が下向きになる。
二つ折り開状態で、ＬＣＤ反転検出器１６がメインＬＣＤ３の反転を検出し、キー９が上向きの時には携帯電話機は図２３の状態となるので、制御部１はメインＬＣＤ３をＯＦＦし、メインＬＣＤバックライト４を消灯する。
ＬＣＤの反転検出器１６が反転を検出し、キー９が下向きの場合には、メインＬＣＤ３が上向きになるので、制御部１はメインＬＣＤをＯＮし、メインＬＣＤバックライト４をＯＮする。
【００４０】
また、二つ折り開状態で、ＬＣＤの反転検出器１６が反転を検出していない状態でキー９が上向きの場合には、携帯電話機は図１７の状態となるので、メインＬＣＤ３をＯＮし、メインＬＣＤバックライト４を点灯する。
ＬＣＤの反転検出器１６が反転を検出していない状態でキー９が下向きの場合には、メインＬＣＤ３が下向きとなるので、制御部１はメインＬＣＤ３をＯＦＦし、メインＬＣＤバックライト４を消灯する。
【００４１】
また、開閉検出器８が、メインＬＣＤ３とキー９が合わさった状態で二つ折り閉の状態を検出した場合には、キー９の向きに関係なく、制御部１はメインＬＣＤ３の電源をＯＦＦにし、メインＬＣＤバックライト４を消灯する。
【００４２】
メインＬＣＤ３が反転して二つ折りの状態の場合は、上記二つ折り開状態の時と同じく、キー９の向きに応じて、メインＬＣＤ３、メインＬＣＤバックライト４の動作を制御する。
即ち、制御部１は、キー９が上向きの場合には、メインＬＣＤ３をＯＮし、メインＬＣＤバックライト４を点灯し、キー９が下向きの場合には、メインＬＣＤ３をＯＦＦし、メインＬＣＤバックライト４を消灯する。
【００４３】
次に、実施の形態７の動作について示したフローチャート図２５について説明する。
まずメインＬＣＤ３の表示を行うイベントが発生した場合（ステップＳ３６）、開閉検出器８により二つ折りの開閉状態を検出し（ステップＳ３７）、キー９とメインＬＣＤ３が合わさった状態で二つ折り閉の状態でなく（ステップＳ３８）、メインＬＣＤ３が反転した状態で二つ折り閉の状態でない場合（ステップＳ５０）、換言すれば、二つ折り開の状態の場合には、ＬＣＤ反転検出器１６の状態を見る（ステップ３９）。
【００４４】
メインＬＣＤ３が背面側に反転している場合には（ステップＳ４０）、加速センサ２から携帯電話機のキー（操作部）９の向きを判定する（ステップＳ４５）。
ここで、キー９が上向きの場合には（ステップＳ４６）、メインＬＣＤ３は下向きになるのでメインＬＣＤ３をＯＦＦし、メインＬＣＤバックライト４を消灯する（ステップＳ４７）。また、ステップＳ４６でキー９が下向きの場合には、メインＬＣＤ３は上向きなるので、メインＬＣＤ３をＯＮし、メインＬＣＤバックライト４を点灯する（ステップＳ４８）。
【００４５】
ステップＳ４０でメインＬＣＤ３が背面側に反転していない場合には、加速度センサ２からの携帯電話機の向きを判定し（ステップＳ４１）、キー９が上向きの場合にはメインＬＣＤ３も上向きになるので、メインＬＣＤ３をＯＮし、メインＬＣＤバックライト４を点灯する。
また、ステップＳ４２でキー９が上向きでないと判定した場合にはメインＬＣＤ３が下向きとなるので、メインＬＣＤ３をＯＦＦし、メインＬＣＤバックライト４を消灯する。
【００４６】
また、ステップＳ３８でメインＬＣＤ３とキー９が合わさった状態で二つ折り閉であると判断した場合には、メインＬＣＤ３をＯＦＦし、メインＬＣＤバックライト４を消灯する（ステップＳ４９）。
【００４７】
ステップ５０でメインＬＣＤ３が反転した状態で二つ折り閉であると判断した場合は、ステップ４１へ進む。
【００４８】
以上のように、この発明の実施の形態７によっても、ユーザが見られない状態での無駄な電力消費を防ぐことができる。
【００４９】
実施の形態８
上記の各実施の形態では、携帯電話機のＬＣＤが表示されていない状態から、メールの受信など、ユーザに通知する情報が発生したことによりＬＣＤの表示を開始するタイミングでＬＣＤの表示を制御するようにした。この実施の形態８は、制御部１が定期的に加速度センサの出力を検出し、携帯電話機の向きが変更された時にＬＣＤ表示の制御を行うようにしたものである。この場合の実施の形態１に相当するＬＣＤ表示中の動作はフローチャート図２６のようになる。
【００５０】
図２６において、まず、タイマを起動し（ステップＳ５１）、タイマが終了するか監視する（ステップＳ５２）。タイマが完了した場合、加速度センサ２で携帯電話機５の向きを検出する（ステップＳ５３）。
ＬＣＤ３の向きに変化がなければ（ステップ５４）、ステップ５１に戻り、ＬＣＤ３の向きに変化があればステップ５５へ進む。ステップ５５〜ステップ５９までの処理は図６のステップ８〜ステップ１２の処理と同じものとする。
【００５１】
この実施の形態８によれば、携帯電話機のＬＣＤ（表示部）が重力方向（下方向）に向いたときにＬＣＤ３およびバックライト４をＯＦＦし、重力と逆方向（上方向）を向いたときにＬＣＤ３およびバックライト４をＯＮするようにしたので、ユーザが見られない状態での無駄な電力消費を防ぐことができるとともに、ユーザが見られる状態になったときにユーザはすぐに内容を確認することができる。
この実施の形態８は実施の形態１と表示制御のタイミングが異なるものであるが、実施の形態２〜７についても実施の形態８と同じタイミングで表示制御することで実施の形態８と同じ効果を得ることができる。
【００５２】
なお、上記の各実施の形態では、携帯電話機の向きを検出する方向検出手段として、重力方向を加速度センサで検出するものについて説明したが、加速度センサに限らず重力方向を検出できるものであればどのようなものでもよい。
【００５３】
また、上記の各実施の形態では、ＬＣＤとバックライトの両方を制御するものについて説明したが、バックライトのみの制御としてもよい。
【００５４】
さらに、上記の各実施の形態では、表示部としてＬＣＤを用いて説明したが、ＥＬ（有機ＥＬ、無機ＥＬ）や蛍光管ディスプレイなど、視覚情報を表示可能であれば、どのような表示装置でもよい。但し、ＥＬや蛍光管ディスプレイのように自発光型の表示装置であれば、バックライトの制御は不要となる。
【産業上の利用可能性】
【００５５】
この発明は、携帯電話機又はリモコンのような視覚情報の表示部を備えた携帯端末機に利用することができる。
【図面の簡単な説明】
【００５６】
【図１】この発明の実施の形態１による携帯端末機の表示部制御装置の構成を示すブロック図である。
【図２】この発明の実施の形態１によるストレート型の携帯電話機の表示部側を示した図である。
【図３】この発明の実施の形態１によるストレート型の携帯電話機の背面側を示した図である。
【図４】この発明の実施の形態１による加速度センサが実装される基板を示した図である。
【図５】この発明の実施の形態１による加速度センサの出力信号を示した図である。
【図６】この発明の実施の形態１による携帯電話機の動作を示すフローチャートである。
【図７】この発明の実施の形態２による加速度センサが実装される基板を示した図である。
【図８】この発明の実施の形態２による加速度センサの出力信号を示した図である。
【図９】この発明の実施の形態３によるスライド式携帯電話機を示した図である。
【図１０】この発明の実施の形態３によるリボルバー式携帯電話機を示した図である。
【図１１】この発明の実施の形態４による携帯端末機の表示部制御装置の構成を示すブロック図である。
【図１２】この発明の実施の形態４による二つ折り型の携帯電話機の開状態を示した図である。
【図１３】この発明の実施の形態４による二つ折り型の携帯電話機の閉状態を示した図である。
【図１４】この発明の実施の携帯４による携帯電話機の動作を示すフローチャートである。
【図１５】この発明の実施の形態５による携帯端末機の表示部制御装置の構成を示すブロック図である。
【図１６】この発明の実施の形態６による携帯端末機の表示部制御装置の構成を示すブロック図である。
【図１７】この発明の実施の形態６による二軸ヒンジ型の携帯電話機を示した図である。
【図１８】この発明の実施の形態６による二軸ヒンジ型の携帯電話機を示した図である。
【図１９】この発明の実施の形態６による二軸ヒンジ型の携帯電話機を示した図である。
【図２０】この発明の実施の形態６による二軸ヒンジ型の携帯電話機の動作を示すフローチャートである。
【図２１】この発明の実施の形態５による加速度センサが実装される基板を示した図である。
【図２２】この発明の実施の形態７による携帯端末機の表示部制御装置の構成を示すブロック図である。
【図２３】この発明の実施の形態７による二軸ヒンジ型の携帯電話機を示した図である。
【図２４】この発明の実施の携帯７による加速度センサが実装される基板を示した図である。
【図２５】この発明の実施の形態７による二軸ヒンジ型の携帯電話機の動作を示すフローチャートである。
【図２６】この発明の実施の形態８による携帯電話機の動作を示すフローチャートである。
【符号の説明】
【００５７】
１  制御部、２  加速度センサ、３  メインＬＣＤ、  ４  メインＬＣＤバックライト
５  携帯電話機、６  サブＬＣＤ、７  サブＬＣＤバックライト、８  開閉検出器、
９  キー、１０  ヒンジの回転軸、１１、１２  筐体  １６  ＬＣＤ反転検出器。
【図１】
2006163294.tif 000003
【図２】
2006163294.tif 000004
【図３】
2006163294.tif 000005
【図４】
2006163294.tif 000006
【図５】
2006163294.tif 000007
【図６】
2006163294.tif 000008
【図７】
2006163294.tif 000009
【図８】
2006163294.tif 000010
【図９】
2006163294.tif 000011
【図１０】
2006163294.tif 000012
【図１１】
2006163294.tif 000013
【図１２】
2006163294.tif 000014
【図１３】
2006163294.tif 000015
【図１４】
2006163294.tif 000016
【図１５】
2006163294.tif 000017
【図１６】
2006163294.tif 000018
【図１７】
2006163294.tif 000019
【図１８】
2006163294.tif 000020
【図１９】
2006163294.tif 000021
【図２０】
2006163294.tif 000022
【図２１】
2006163294.tif 000023
【図２２】
2006163294.tif 000024
【図２３】
2006163294.tif 000025
【図２４】
2006163294.tif 000026
【図２５】
2006163294.tif 000027
【図２６】
2006163294.tif 000028